(57)【特許請求の範囲】
【請求項１】
情報表示体と、
前記情報表示体の視認者側に配置される樹脂筐体と、
前記情報表示体の前記視認者側とは反対側に配置されるケース部材とを備え、
前記樹脂筐体は、複数の部分から構成されているとともに、
前記情報表示体は、前記ケース部材に形成される位置決め部が前記複数の部分に各々形成される複数個の被位置決め部に各々位置決めされて前記複数の部分が繋がることで前記複数の部分の内側に形成される開口領域を臨むように構成されていることを特徴とする計器装置。
【請求項２】
情報表示体と、
前記情報表示体の視認者側に配置される樹脂筐体とを備え、
前記樹脂筐体は、複数の部分から構成されているとともに、
前記情報表示体は、前記複数の部分が所定の連結手段によって繋がることで前記複数の部分の内側に形成される開口領域を臨むように構成され、
前記複数の部分は、第１の開口部を有する第１の筐体部と、前記第１の開口部に連なる第２の開口部を有する第２の筐体部とからなり、
前記第１の筐体部は、前記第１の開口部を挟んで向かい合う一対の第１、第２の梁部と、前記第１の梁部の一端側と前記第２の梁部の一端側とを連結する第１の連結部とを有し、
前記第２の筐体部は、前記第２の開口部を挟んで向かい合う一対の第３、第４の梁部と、前記第３の梁部の一端側と前記第４の梁部の一端側とを連結する第２の連結部とを有し、
前記第１〜第４の梁部と前記第１、第２の連結部とによって囲まれる前記第１、第２の開口部を前記開口領域としたことを特徴とする計器装置。
【請求項３】
情報表示体と、
前記情報表示体の視認者側に配置される樹脂筐体と、
前記情報表示体の前記視認者側とは反対側に配置されるケース部材と、
前記ケース部材の前記視認者側とは反対側に配置されるカバー部材とを備え、
前記樹脂筐体は、複数の部分から構成されているとともに、
前記情報表示体は、前記複数の部分が所定の連結手段によって繋がることで前記複数の部分の内側に形成される開口領域を臨むように構成され、
前記カバー部材は、複数のカバー部によって構成されていることを特徴とする計器装置。
【発明の詳細な説明】
【技術分野】
【０００１】
本発明は、例えば自動車等の車両に搭載された計器装置に関するものである。
【背景技術】
【０００２】
従来より、この種の計器装置にあっては、例えば下記特許文献１に記載されているものが知られている。この特許文献１に記載の計器装置は、例えば計器用指針と当該計器用指針によって指示される目盛等の指標部を有する計器用文字板とで構成されるアナログ式計器（情報表示体）と、このアナログ式計器の前方側（視認者側）に配置される樹脂筐体としての見返し部材と、アナログ式計器の背後側（視認者側とは反対側）に配置されるケース部材をから主に構成されている。
【０００３】
例えば計器用文字板の形状が長方形形状（矩形状）であれば、この矩形状の計器用文字板上に配置される樹脂製の見返し部材を、計器用指針や指標部を露出するための露出孔と、当該露出孔を取り巻くように設けられる無端状の単一の枠部（見返し板）とで構成するのが一般的であると言える。つまり、この場合、視認者側から計器装置を正視した際の計器装置の上方を上側、下方を下側、左方を左側、右方を右側とした場合、無端状の単一の枠部（見返し板）は、計器装置の上側に位置する上側枠部と、計器装置の下側に位置する下側枠部と、計器装置の左側に位置する左側枠部と、計器装置の右側に位置する右側枠部とが一体形成された構成となる。
【先行技術文献】
【特許文献】
【０００４】
【特許文献１】特開平１１ー１８３２０５号
【発明の概要】
【発明が解決しようとする課題】
【０００５】
ところで、上述した特許文献１に記載の計器装置において、計器用文字板の形状が横長の長方形形状で形成され、さらに計器用文字板の横方向の寸法がおおよそ１００センチメートル程度である場合、見返し部材に設けられる前記露出孔の横方向の開口幅も、計器用文字板の形状に対応させておおよそ１００センチメートル程度とする必要がある。
【０００６】
例えば、計器装置の中央に位置する前記アナログ式計器の左右に各種情報を表示するための横長形状の一対の計器用ディスプレイを各々配置し、当該一対の計器用ディスプレイの表示エリアを臨ませるための表示窓を計器用文字板にそれぞれ設けるような構成の場合には、計器用文字板の横方向の寸法がおおよそ１００センチメートル程度となることが考えられる。
【０００７】
そして、計器用文字板の横方向の寸法（つまり見返し部材に設けられる前記露出孔の横方向の開口幅）がおおよそ１００センチメートル程度となれば、これに伴い前記露出孔を挟むように見返し部材に設けられる上側枠部及び下側枠部の横方向長さ寸法もおおよそ１００センチメートル程度となる。
【０００８】
また、このように上側枠部及び下側枠部の横方向長さ寸法がおおよそ１００センチメートル程度である大型部品としての樹脂製見返し部材を射出成形によって成形すると、この射出成形後の見返し部材（樹脂筐体）において、当該見返し部材に備えられる上側枠部や下側枠部が変形し易くなり、外観品質の低下を招くという問題がある。
そこで本発明は、前述の課題に対して対処するため、樹脂筐体の変形を極力抑制することができ、外観品質の低下を招く虞のない計器装置の提供を目的とするものである。
【課題を解決するための手段】
【０００９】
本発明は、情報表示体と、前記情報表示体の視認者側に配置される樹脂筐体と、前記情報表示体の前記視認者側とは反対側に配置されるケース部材とを備え、前記樹脂筐体は、複数の部分から構成されているとともに、前記情報表示体は、前記ケース部材に形成される位置決め部が前記複数の部分に各々形成される複数個の被位置決め部に各々位置決めされて前記複数の部分が繋がることで前記複数の部分の内側に形成される開口領域を臨むように構成されていることを特徴とする。
【００１０】
また本発明は、情報表示体と、前記情報表示体の視認者側に配置される樹脂筐体とを備え、前記樹脂筐体は、複数の部分から構成されているとともに、前記情報表示体は、前記複数の部分が所定の連結手段によって繋がることで前記複数の部分の内側に形成される開口領域を臨むように構成され、前記複数の部分は、第１の開口部を有する第１の筐体部と、前記第１の開口部に連なる第２の開口部を有する第２の筐体部とからなり、前記第１の筐体部は、前記第１の開口部を挟んで向かい合う一対の第１、第２の梁部と、前記第１の梁部の一端側と前記第２の梁部の一端側とを連結する第１の連結部とを有し、前記第２の筐体部は、前記第２の開口部を挟んで向かい合う一対の第３、第４の梁部と、前記第３の梁部の一端側と前記第４の梁部の一端側とを連結する第２の連結部とを有し、前記第１〜第４の梁部と前記第１、第２の連結部とによって囲まれる前記第１、第２の開口部を前記開口領域としたことを特徴とする。
【００１１】
また本発明は、情報表示体と、前記情報表示体の視認者側に配置される樹脂筐体と、前記情報表示体の前記視認者側とは反対側に配置されるケース部材と、前記ケース部材の前記視認者側とは反対側に配置されるカバー部材とを備え、前記樹脂筐体は、複数の部分から構成されているとともに、前記情報表示体は、前記複数の部分が所定の連結手段によって繋がることで前記複数の部分の内側に形成される開口領域を臨むように構成され、前記カバー部材は、複数のカバー部によって構成されていることを特徴とする。
【発明の効果】
【００１２】
本発明によれば、初期の目的を達成でき、樹脂筐体の変形を極力抑制することができ、外観品質の低下を招く虞のない計器装置を提供できる。
【図面の簡単な説明】
【００１３】
【図１】本発明の実施形態による計器装置の分解斜視図。
【図２】同実施形態による見返し部材と計器用文字板とを模式的に示す正面図。
【図３】同実施形態による透視パネルと見返し部材と計器用文字板とがケース部材に位置決め固定された状態を示す要部拡大断面図（ハッチング省略）。
【図４】同実施形態によるケース部材がカバー部材に位置決め固定された状態を示す要部拡大断面図（ハッチング省略）。
【図５】同実施形態によるケース部材がカバー部材に仮固定された状態を示す要部拡大断面図（ハッチング省略）。
【発明を実施するための形態】
【００１４】
以下、図１〜図５に基づいて、本発明の実施形態を例えば車両に搭載された長尺（横長）の計器装置に適用した場合を例に挙げて説明する。
【００１５】
なお、以下の説明では、図１中、横方向（車両に例えたときの車両の幅方向）に沿った方向をＸ方向とし、縦方向（車両に例えたときの車両の高さ方向）に沿った方向をＹ方向とし、高さ方向（車両に例えたときの車両の前後方向）に沿った方向をＺ方向とし、また必要に応じてＸ−ＹーＺ座標系の矢印が向く方向を＋Ｘ方向、＋Ｙ方向、＋Ｚ方向と記載し、その反対方向（矢印が向いていない方向）をーＸ方向、ーＹ方向、ーＺ方向と記載する場合もある。また、以下に説明する計器装置のＸ方向の全長（寸法）は、おおよそ１００センチメートル程度であるものとする。
【００１６】
図１において、本実施形態による計器装置Ｍは、透視パネル１０と、樹脂筐体としての見返し部材２０と、情報表示体としての計器用文字板３０と、第１の表示ユニット４０と、第２の表示ユニット５０と、第３の表示ユニット６０と、ケース部材７０と、回路基板８０と、カバー部材９０とから主に構成されている。
【００１７】
透視パネル１０は、例えば透光性合成樹脂材料によって形成され、視認者側から計器装置Ｍを正視した場合に、見返し部材２０を覆うように計器装置Ｍの最表面に位置している透光性の前面パネルからなる。そして、計器装置１０を視認する視認者は、透視パネル１０を通じて、計器用文字板３０に設けられている後述する警告表示部や、各表示ユニット４０〜６０に表示される各種表示情報等を視認（透視）することができる。
【００１８】
なお、１１は第１の被位置決め部としての第１の位置決め孔部であり、この第１の位置決め孔部１１は、透視パネル１０の周縁部分に設けられた略枠状のフランジ部１２において、Ｘ方向に沿ったフランジ部１２の略中央部分に２箇所設けられている。なお、図１では、ーＹ方向側に位置する第１の位置決め孔部１１のみが図示されているが、実際は、＋Ｙ方向側のフランジ部１２の略中央部分にも第１の位置決め孔部１１が形成されていることは言うまでもない。
【００１９】
見返し部材２０は、例えば黒色の合成樹脂材料によって形成され、計器用文字板３０の前方側（つまり＋Ｚ方向側となる視認者側）に配置されている。また、本例の場合、見返し部材２０は、複数の部分２１から構成されており、後述する開口領域を除いた可視範囲外の不要箇所を隠蔽する隠蔽部材としての機能を有している。
【００２０】
ここでの複数の部分２１とは、２つの部分として分割形成されていることを意味しており、具体的には、図１または図２に示すように見返し部材２０は、第１の開口部２２ａを有する第１の筐体部２２と、第１の開口部２２ａに連なる第２の開口部２３ａを有する第２の筐体部２３とを備えている。
【００２１】
第１の筐体部２２は、見返し部材２０を左右に２等分した際の左側に位置しており、平面視で略逆コの字形状をなしている。また、第１の筐体部２２は、第１の開口部２２ａを挟んで向かい合う一対の第１、第２の梁部２２ｂ、２２ｃと、ーＸ方向側に位置する第１の梁部２２ｂの一端側とーＸ方向側に位置する第２の梁部２２ｃの一端側とを連結する第１の連結部２２ｄとを有している。
【００２２】
なお、本例の場合、第１の筐体部２２は、射出形成によって成形されるものであり、第１の筐体部２２に設けられる各梁部２２ｂ、２２ｃのＸ方向に沿った長さ寸法は約５０センチメートルとなっている。
【００２３】
第１の梁部２２ｂは、Ｘ方向に沿って延びる横長のフレーム体からなり、一端側（ーＸ方向側）が第１の連結部２２ｄに連結されているとともに、他端側（第２の筐体部２３側となる＋Ｘ方向側）が自由端部となっている片持ち梁形状をなしている。
【００２４】
第２の梁部２２ｃは、第１の梁部２２ｂと対をなすようにＸ方向に沿って延びる横長のフレーム体からなり、第１の梁部２２ｂと同様に、一端側（ーＸ方向側）が第１の連結部２２ｄに連結されているとともに、他端側（第２の筐体部２３側となる＋Ｘ方向側）が自由端部となっている片持ち梁形状をなしている。
【００２５】
また、本例の場合、第１、第２の梁部２２ｂ、２２ｃの他端側には、第２の被位置決め部としての第２の位置決め孔部２２ｅがそれぞれ開口形成されており、第２の位置決め孔部２２ｅは透視パネル１０の第１の位置決め孔部１１に各々対応するように設けられる（図３参照）。
【００２６】
第１の連結部２２ｄは、Ｙ方向に沿って延びる直線状のフレーム体からなり、見返し部材２０の左側周壁部を構成するものである。
【００２７】
第２の筐体部２３は、見返し部材２０を左右に２等分した際の右側に位置しており、平面視で略コの字形状をなしている。また、第２の筐体部２３は、第２の開口部２３ａを挟んで向かい合う一対の第３、第４の梁部２３ｂ、２３ｃと、＋Ｘ方向側に位置する第３の梁部２３ｂの一端側と＋Ｘ方向側に位置する第２の梁部２３ｃの一端側とを連結する第２の連結部２３ｄとを有している。
【００２８】
なお、本例の場合、第２の筐体部２３は、射出形成によって成形されるものであり、第２の筐体部２３に設けられる各梁部２３ｂ、２３ｃのＸ方向に沿った長さ寸法は約５０センチメートルとなっている。
【００２９】
第３の梁部２３ｂは、Ｘ方向に沿って延びる横長のフレーム体からなり、一端側（＋Ｘ方向側）が第２の連結部２３ｄに連結されているとともに、他端側（第１の筐体部２２側となるーＸ方向側）が自由端部となっている片持ち梁形状をなしている。
【００３０】
第４の梁部２３ｃは、第３の梁部２３ｂと対をなすようにＸ方向に沿って延びる横長のフレーム体からなり、第３の梁部２３ｂと同様に、一端側（＋Ｘ方向側）が第２の連結部２３ｄに連結されているとともに、他端側（第１の筐体部２２側となるーＸ方向側）が自由端部となっている片持ち梁形状をなしている。
【００３１】
また、本例の場合、第３、第４の梁部２３ｂ、２３ｃの他端側には、第３の被位置決め部としての第３の位置決め孔部２３ｅがそれぞれ開口形成されており、第３の位置決め孔部２３ｅは第１、第２の位置決め孔部１１、２２ｅに各々対応するように設けられている（図３参照）。
【００３２】
第２の連結部２３ｄは、Ｙ方向に沿って延びる直線状のフレーム体からなり、見返し部材２０の右側周壁部を構成するものである。
【００３３】
計器用文字板３０は、薄板状の透光性基板（図示せず）に例えば黒色の地色部３１が印刷形成されたパネル体からなる。この場合、第１の表示ユニット４０に対応する計器用文字板３０箇所には矩形状の第１の表示窓３２が開口形成され、第２の表示ユニット５０に対応する計器用文字板３０箇所には矩形状の第２の表示窓３３が開口形成され、第３の表示ユニット６０に対応する計器用文字板３０箇所には矩形状の第３の表示窓３４が開口形成されている。
【００３４】
ここでは、各表示窓３２〜３４を、前記透光性基板を刳り貫いた貫通孔形状としているが、前記透光性基板を刳り貫かずに、各表示ユニット４０〜６０が地色部３１の印刷形成されない前記透光性基板箇所によって覆われている構成としてもよい。
【００３５】
なお、ここでの計器用文字板３０には、視認者に対し注意喚起を促すための情報表示部としての警告表示部３５が設けられている。当該警告表示部３５としては、ここでの詳細図示は省略するが、一例を挙げると、シートベルトの未着用状態を示すシートベルトのインジケータや、サイドブレーキが作用していることを示すサイドブレーキのインジケータ等がある。これらインジケータは、インジケータ用光源からの光を受けて発光表示される。また、３６は、各位置決め孔部１１、２２ｅ、２３ｅに対応するように設けられた貫通部である（図３参照）。
【００３６】
第１の表示ユニット４０は、例えば液晶パネルや液晶パネルを駆動するための駆動回路、バックライト等が内蔵された周知のＴＦＴ型の液晶表示パネルからなり、例えば車両の走行速度を示す車速情報をはじめとする各車両状態情報を表示するものである。この第１の表示ユニット４０は、計器用文字板３０の第１の表示窓３２を臨むようにケース部材７０に配設される。
【００３７】
第２の表示ユニット５０は、例えば液晶表示素子５１や拡散シート等の光学部材５２を備えた周知の液晶表示器からなり、例えば車両の燃費情報や車両の走行距離情報を表示するものである。この第２の表示ユニット５０は、計器用文字板３０の第２の表示窓３３を臨むようにケース部材７０に配設される。
【００３８】
第３の表示ユニット６０は、例えば液晶表示素子６１や拡散シート等の光学部材６２を備えた周知の液晶表示器からなり、例えば時刻情報を表示するものである。この第３の表示ユニット６０は、計器用文字板３０の第３の表示窓３４を臨むようにケース部材７０に配設される。
【００３９】
ケース部材７０は、例えば白色の合成樹脂材料によって形成され、計器用文字板３０の視認者側とは反対側に配置されている。この場合、ケース部材７０は、見返し部材２０や後述するカバー部材９０のように分割形成されておらず、長尺（横長）の単一樹脂ケースとして構成されている。
【００４０】
このケース部材７０には、第１の表示ユニット４０を配設（収容）するための略凹部形状からなる窪み部７１と、回路基板８０に実装された第１の発光体（図示せず）から発せられる照明光を第２の表示ユニット５０に導くための第１の照明空間７２と、回路基板８０に実装された第２の発光体（図示せず）から発せられる照明光を第３の表示ユニット６０に導くための第２の照明空間７３と、各警告表示部３５に光が導かれるように各警告表示部３５毎に設けられる複数個の空洞部７４と、透視パネル１０及び見返し部材２０を位置決め固定するための第１の位置決め部としての第１の位置決めピン７５と、カバー部材９０を位置決め固定するための第２の位置決め部としての第２の位置決めピン７６（図４参照）とが設けられている。
【００４１】
なお、７７は、図５中、ケース部材７０の前面壁部７８から回路基板８０の孔部８１を通り（経て）カバー部材９０側に向けて垂下形成された弾性片であり、この場合、ーＺ方向側となる弾性片７７の先端側には、カバー部材９０（後述する第２のカバー部）とケース部材７０とを仮固定するための爪部７９が設けられている。
【００４２】
第１の位置決めピン７５は、図３に示すようにケース部材７０の前面壁部７８から＋Ｚ方向となる透視パネル１０側に向けて突出形成された略円柱状のリブからなり、２つの第１の位置決め孔部１１と２つの第２の位置決め孔部２２ｅと２つの第３の位置決め孔部２３ｅと２つの貫通部３６に対応する前面壁部７８箇所に２つ設けられている。
【００４３】
そして、これら第１の位置決めピン７５が第１の位置決め孔部１１、第２の位置決め孔部２２ｅ、第３の位置決め孔部２３ｅ、貫通部３６にそれぞれ位置決めされることで、透視パネル１０と見返し部材２０と計器用文字板３０とがケース部材７０に対して位置ズレの抑制された状態で固定され、且つ、見返し部材２０とケース部材７０との間には計器用文字板３０が挟持される構成となる。
【００４４】
ここで、特に、見返し部材２０とケース部材７０とに着目すると、本例の場合、見返し部材２０は、複数の部分２１から構成され、これら複数の部分２１（つまり第１の筐体部２２と第２の筐体部２３と）は、ケース部材７０に設けた第１の位置決めピン７５が第１の筐体部２２の第２の位置決め孔部２２ｅと、第２の筐体部２３の第３の位置決め孔部２３ｅとの双方に位置決め固定されることで繋がる構成となる（図１、図３参照）。
【００４５】
そして、本例の場合、第１の位置決めピン７５と第２の位置決め孔部２２ｅと第３の位置決め孔部２３ｅとで構成される位置決め機構が、後述する特許請求の範囲の請求項１における連結手段Ｃに相当し、本実施形態においては、複数の部分２１（つまり第１の筐体部２２と第２の筐体部２３）は、連結手段Ｃによって繋がる構成となる。このように構成することで、位置決めピンや位置決め孔といった簡素な構成である連結手段Ｃを用いて、各筐体部２２、２３のケース部材７０への位置決め固定を行うことが可能となり、組み付け作業性が良好となるという利点がある。
【００４６】
さらに、ここで、見返し部材２０と計器用文字板３０とに着目すると、第１の筐体部２２と第２の筐体部２３とが連結手段Ｃによって繋がることで、視認者側から計器装置Ｍを正視した際に、計器用文字板３０は、図２に示すように複数の部分２１（第１の筐体部２２及び第２の筐体部２３）の内側に開口形成される開口領域２５を臨むような構成となっている。具体的には、第１、第２の梁部２２ｂ、２２ｃと第３、第４の梁部２３ｂ、２３ｃと第１、第２の連結部２２ｄ、２３ｄとによって囲まれている露出孔（つまり第１、第２の開口部２２ａ、２３ａ）を開口領域２５としている。
【００４７】
このように構成することで、各筐体部２２、２３の主要部を構成する各梁部２２ｂ、２２ｃ、２３ｂ、２３ｃのＸ方向に沿った長さ寸法は各々約５０センチメートルとなり、従来の分割されていない見返し部材（単一の見返し板）と比べて長さ寸法が約半分となるため、射出成形によって各筐体部２２、２３を得るにあたり、各梁部２２ｂ、２２ｃ、２３ｂ、２３ｃ（つまり見返し部材２０）の変形を極力抑制することができるという利点がある。また、見返し部材２０が第１の筐体部２２と第２の筐体２３とに分割されることに伴って、各筐体部２２、２３を射出成形するための金型の大型化が抑制され、当該射出成形を行うにあたって成形サイクルの短縮も可能となるため、計器装置Ｍを製造するための製造コストの上昇を抑制することができるという利点もある。
【００４８】
また、透視パネル１０越しに視認者が見返し部材２０を見たときに、比較的目立ち易い箇所となる見返し部材２０の各梁部２２ｂ、２２ｃ、２３ｂ、２３ｃ箇所が変形しにくくなることで、外観品質の低下を招く虞のない計器装置Ｍを提供することができる。
【００４９】
第２の位置決めピン７６は、ケース部材７０における略背面中央領域から回路基板８０の貫通孔８２を通り（経て）、カバー部材９０側に向けて垂下形成された略Ｕ字形状の位置決め用リブからなり、ケース部材７０とカバー部材９０とを位置決め固定するために用いられる（図１、図４参照）。
【００５０】
回路基板８０は、所定の配線パターンが施された硬質の配線基板からなり、ケース部材７０とカバー部材９０との間に配置（挟持）され、前記第１、第２の発光体や警告表示部３５を発光させるための前記インジケータ用光源、各表示ユニット４０〜６０の表示制御を行うためのマイクロコンピュータからなる制御部、抵抗、コンデンサ等の各種回路部品等が前記配線パターン上に実装されている。
【００５１】
カバー部材９０は、例えば合成樹脂材料によって形成され、回路基板８０（ケース部材７０）の視認者側とは反対側に配置され、回路基板８０を収容するハウジングからなる。本例の場合、このカバー部材９０は、複数のカバー部９１から構成されている。
【００５２】
ここでの複数のカバー部９１とは、２つのカバー部として分割形成されていることを意味しており、具体的には、複数のカバー部９１は、見返し部材２０の第１の筐体部２２に対応するように設けられる第１のカバー部９２と、見返し部材２０の第２の筐体部２３に対応するように設けられる第２のカバー部９３とを備えている。
【００５３】
第１のカバー部９２には、弾性片７７が貫通するように回路基板８０の孔部８１に連通している第１の貫通孔部９４（図５参照）と、ケース部材７０の第２の位置決めピン７６が貫通する第２の貫通孔部９５（図４参照）とが設けられている。
【００５４】
第１の貫通孔部９４は、図１に示すように第１のカバー部９２の＋Ｘ方向側に位置しており、また第２の貫通孔部９５は、第１の貫通孔部９４と同様に第１のカバー部９２の＋Ｘ方向側に位置しており、この場合、第１の貫通孔部９４と第２の貫通孔部９５とは左右に並設された状態となっている。
【００５５】
一方、第２のカバー部９３には、爪部７９の収容空間を構成するための窪み部９６（図５参照）と、第２の貫通孔部９５に連通するように設けられる第４の位置決め孔部（第４の被位置決め部）９７を有するボス部９８（図４参照）とが設けられている。
【００５６】
なお、窪み部９６は、図５に示すように断面略逆凹部形状に形成され、立壁部９６ａと、傾斜壁部９６ｂと、立壁部９６ａと傾斜壁部９６ｂとを繋ぐ水平壁部９６ｃとを有し、水平壁部９６ｃには孔部８１と第１の貫通孔部９４との双方に連通する第３の貫通孔部９６ｄが開口形成され、また傾斜壁部９６ｂの水平壁部９６ｃ側には爪部７９の平坦面を受けるように、爪受部９６ｅが斜めに垂下形成されている。
【００５７】
そして、このように爪受部９６ｅに爪部７９が嵌合することで、各カバー部９２、９３のケース部材７０への仮固定がなされる構成となり、計器装置Ｍの組み付け時において、各カバー部９２、９３が脱落するのを防止することができるという利点がある。また、ここでの詳細図示は省略するが、この爪部７９及び爪受部９６ｅを利用した各カバー部９２、９３のケース部材７０への仮固定後に、ネジ等の適宜固定手段を用いて、各カバー部９２、９３がケース部材７０に本固定される構成となっているものとする。
【００５８】
ボス部９８は、図４に示すように互いに対向する一対の側壁部９８ａを有し、この側壁部９８ａの＋Ｚ方向側において、上述した第４の位置決め孔部９７が第１のカバー部９２の第２の貫通孔部９５に連通するように設けられる。そして、ケース部材７０の第２の位置決めピン７６が、第２の貫通孔部９５を貫通して第４の位置決め孔部９７にて位置決めされることで、カバー部材９０がケース部材７０に対して位置ズレの抑制された状態で固定される。
【００５９】
なお、本例の場合、各カバー部９２、９３は、ともに射出形成によって成形されるものであり、各カバー部９２、９３のＸ方向に沿った長さ寸法は約５０センチメートルとなっている。これにより、見返し部材２０が第１の筐体部２２と第２の筐体部２３とに分割されている場合と同様に、各カバー部９２、９３を射出成形するための金型の大型化が抑制され、当該射出成形を行うにあたって成形サイクルの短縮も可能となるため、計器装置Ｍを製造するための製造コストの上昇を抑制することができるという利点がある。
【００６０】
また、ここでの詳細図示は省略するが、第１、第２のカバー部９２、９３の周壁部分には適宜間隔を空けて複数個のネジ螺合部が設けられ、当該複数個のネジ螺合部に対応する透視パネル１０のフランジ部１２箇所にはパネル固定用ネジが貫通する孔が各々形成されている。
【００６１】
そして、当該孔を貫通するパネル固定用ネジを前記ネジ螺合部にそれぞれ螺合させることで、各筐体部２２、２３（より具体的に言えば各筐体部２２、２３と計器用文字板３０と前面壁部７８との三者）が、フランジ部１２と前記ネジ螺合部との間に挟持されるように、透視パネル１０をカバー部材９０に取り付ける構成となっている。
【００６２】
さらに、前記複数個のネジ螺合部が形成されていない第１、第２のカバー部９２、９３の前記周壁部分には、各筐体部２２、２３の周縁部分に設けられたフック部（図示せず）が係合する係合部（図示せず）が形成されており、前記フック部が前記係合部に係合することで、見返し部材２０をカバー部材９０に取り付ける構成となっている。
【００６３】
以上のように本実施形態では、情報表示体３０と、この情報表示体３０の視認者側に配置される樹脂筐体としての見返し部材２０とを備え、見返し部材２０は、複数の部分２１から構成されているとともに、情報表示体３０は、複数の部分２１（第１の筐体部２２と第２の筐体部２３）が所定の連結手段Ｃによって繋がることで複数の部分２１の内側に形成される開口領域２５を臨むように構成されているものである。
【００６４】
従って、各筐体部２２、２３の主要部を構成する各梁部２２ｂ、２２ｃ、２３ｂ、２３ｃのＸ方向に沿った長さ寸法は各々約５０センチメートルとなり、従来の分割されていない見返し部材（単一の見返し板）と比べて長さ寸法が約半分となるため、射出成形によって各筐体部２２、２３を得るにあたり、各梁部２２ｂ、２２ｃ、２３ｂ、２３ｃ（つまり見返し部材２０）の変形を極力抑制することができると同時に、透視パネル１０越しに視認者が見返し部材２０を見たときに、比較的目立ち易い箇所となる見返し部材２０の各梁部２２ｂ、２２ｃ、２３ｂ、２３ｃ箇所が変形しにくくなることで、外観品質の低下を招く虞のない計器装置Ｍを提供することができる。
【００６５】
また本実施形態では、情報表示体３０の視認者側とは反対側に配置されるケース部材７０と、このケース部材７０の視認者側とは反対側に配置されるカバー部材９０とを備え、カバー部材９０は、複数のカバー部９１（つまり第１のカバー部９２と第２のカバー部９３）によって構成されていることにより、各カバー部９２、９３を射出成形するための金型の大型化が抑制され、当該射出成形を行うにあたって成形サイクルの短縮も可能となるため、計器装置Ｍを製造するための製造コストの上昇を抑制することができるという利点がる。
【００６６】
なお、本発明は、上述の実施形態及び図面によって限定されるものではない。本発明の要旨を変更しない範囲で、適宜、実施形態及び図面に変更（構成要素の削除も含む）を加えることが可能である。
【００６７】
例えば、上述した実施形態では、第１、第２の連結部２２ｄ、２３ｄは、Ｙ方向に沿って延びる直線状のフレーム体となっているが、第１、第２の連結部２２ｄ、２３ｄの形状は屈曲した形状であってもよいし、曲面形状（湾曲形状）であってもよい。より具体的に言うと、屈曲した形状を適用した場合、第１の連結部２２ｄを略「く」の字形状とし、第２の連結部２３ｄを略逆「く」の字形状とすればよいし、曲面形状を適用した場合、第１の連結部２２ｄを略「Ｃ」字状の半円環部とし、第２の連結部２３ｄを略逆「Ｃ」字状の半円環部とすればよい。
【００６８】
さらには、上述した実施形態では、計器用文字板３０を情報表示体としているが、例えば計器用文字板３０と３つの表示ユニット４０〜６０とを含めたものを情報表示体としてもよい。なお、各表示ユニット４０〜６０のうち少なくとも１つは所謂、表示器ではなく、アナログ式計器（指針式計器）としてもよい。
【符号の説明】
【００６９】
１０    透視パネル
２０    見返し部材（樹脂筐体）
２１    複数の部分
２２    第１の筐体部
２２ａ  第１の開口部
２２ｂ  第１の梁部
２２ｃ  第２の梁部
２２ｄ  第１の連結部
２３    第２の筐体部
２３ａ  第２の開口部
２３ｂ  第３の梁部
２３ｃ  第４の梁部
２３ｄ  第２の連結部
２５    開口領域
３０    計器用文字板（情報表示体）
４０    第１の表示ユニット
５０    第２の表示ユニット
６０    第３の表示ユニット
７０    ケース部材
８０    回路基板
９０    カバー部材
９１    複数のカバー部
９２    第１のカバー部
９３    第２のカバー部
Ｃ    連結手段
【図１】
0006503891.tif 000002
【図２】
0006503891.tif 000003
【図３】
0006503891.tif 000004
【図４】
0006503891.tif 000005
【図５】
0006503891.tif 000006